(57)【要約】【課題】  厚さの薄いパネルの両面全体が均一に面発光し、透光シートの性状を発光面に表現できると共に、必要に応じて光度や色調を変化させることができる照明パネルを得ること。【解決手段】  極微の凹凸を形成した面に透光シート４を貼った導光板の端面に発光ダイオード（以下、ＬＥＤという。）３を設けることにより、ＬＥＤ３からの光が導光板２の内部を通過する際に前記極微の凹凸により面方向へ拡散した光が前記透光シート４を通過して面発光することを特徴とする照明パネル１。【選択図】      図２
2008021506.tif 000002
【特許請求の範囲】
【請求項１】
極微の凹凸を形成した面に透光シートを貼った導光板の端面に発光ダイオード（以下、ＬＥＤという。）を設けることにより、ＬＥＤからの光が導光板の内部を通過する際に前記極微の凹凸により面方向へ拡散した光が前記透光シートを通過して面発光することを特徴とする照明パネル。
【請求項２】
前記極微の凹凸を形成した面が、導光板の表裏面であり、この表裏面に前記透光シートを貼ったことを特徴とする請求項１に記載の照明パネル。
【請求項３】
前記透光シートが、和紙であることを特徴とする請求項１又は２に記載の照明パネル。
【請求項４】
前記ＬＥＤを設けた導光板の端面の反対側の端面に反射面を設けたことに特徴とする請求項1乃至３のいずれかに記載の照明パネル。
【請求項５】
前記ＬＥＤを設けた導光板の端面の反対側の端面にもＬＥＤを設けたことを特徴とする請求項1乃至３のいずれかに記載の照明パネル。
【請求項６】
前記導光板が、アクリル樹脂板であることを特徴とする請求項1乃至５のいずれかに照明パネル。
【請求項７】
前記導光板が、円筒形状であることを特徴とする請求項1乃至６のいずれかに記載の照明パネル。
【請求項８】
前記透光シートの厚みをＬＥＤから離れるに従って次第に薄くなることを特徴とする請求1乃至７のいずれかに記載の照明パネル。
【請求項９】
前記ＬＥＤが、紫外線を発光し、前記透光シートに紫外線の照射により色調を帯びた光を放つ蛍光体を塗ったことを特徴とする請求項1乃至８のいずれかに記載の照明パネル。
【発明の詳細な説明】
【技術分野】
【０００１】
この発明は、ＬＥＤ光源、透明板、和紙を用いてパネルの両面全体が発光する照明パネルに関する。
【背景技術】
【０００２】
従来、照明パネルとしては、電球などの点発光をパネルの裏側から照射してパネル面全体を発光させる手法、標示板の後方から発光ダイオード等の一次発光源を光源として照射される照明パネルにおいて発光ダイオードと標示板との間にすりガラス、乳白色半透明板、和紙などの光拡散手段を配置して面発光させる手法（例えば、特許文献１、２）、和紙をアクリルシート等のシート状素材で挟み込んで貼り合わせし、和紙感を出した照明のインテリア関連器材による（例えば、特許文献３）などの方法があった。
【０００３】
【特許文献１】特開２０００−３４７７１４号公報
【特許文献２】特開平６−２２３６０６号公報
【特許文献３】実開平７−５１０１号公報
【発明の開示】
【発明が解決しようとする課題】
【０００４】
しかし、前記従来技術によると、いずれも、発光源として電球やＬＥＤ等の点或いは線光源を使用しているので、面全体を均一に広く発光させることは困難であるという問題点がある。加えて、発光面の裏側に光源が存在するので、パネルの両面を発光させる必要がある場合には、この光源を入れるスペースが必要であり、パネルの厚みが太くなるという問題点がある。
【課題を解決するための手段】
【０００５】
この発明は上記事情に鑑みてなされたものであって、厚さの薄いパネルの両面全体が均一に面発光し、透光シートの性状を発光面に表現できると共に、必要に応じて光度や色調を変化させることができる照明パネルを提供することを目的とするものである。その手段とするところは次の通りである。
【０００６】
請求項１の発明は、極微の凹凸を形成した面に透光シートを貼った導光板の端面に発光ダイオード（以下、ＬＥＤという。）を設けることにより、ＬＥＤからの光が導光板の内部を通過する際に前記極微の凹凸により面方向へ拡散した光が透光シートを通過して面発光することを特徴とするものである。
【０００７】
請求項２の発明は、前記極微の凹凸を形成した面が導光板の表裏面であり、この表裏面に前記透光シートを貼ったことに特徴を有するものである。
【０００８】
請求項３の発明は、前記透光シートが和紙であることを特徴とするものである。
【０００９】
請求項４の発明は、ＬＥＤを設けた導光板の端面の反対側の端面に反射面を設けたことに特徴を有するものである。
【００１０】
請求項５の発明は、前記ＬＥＤを設けた導光板の端面の反対側の端面にもＬＥＤを設けたことに特徴を有するものである。
【００１１】
請求項６の発明は、前記導光板がアクリル樹脂板であることを特徴とするものである。
【００１２】
請求項７の発明は、前記導光板が円筒形状であることを特徴とするものである。
【００１３】
請求項８の発明は、前記透光シートの厚みをＬＥＤから離れるに従って次第に薄くなることを特徴とするものである。
【００１４】
請求項９の発明は、前記ＬＥＤが紫外線を発光し、前記透光シートに紫外線の照射により色調を帯びた光を放つ蛍光体を塗ったことを特徴とするものである。
【発明の効果】
【００１５】
上記請求項１の発明によれば、導光板の端面に設けたＬＥＤからの光が導光板の内部を通過する際に、その表面の極微の凹凸に当って拡散して透光シートを通過して外部へ出て行くが、このとき導光板の面全体に均一にこのような現象が生ずるために、導光板の全面が発光することになる。また、透光シートを通過しているので、その透光シートによって通過する光が屈曲されて、透光シートの性状に見合った光を得ることが可能となる。更に、導光板の裏側に発光体がないので、板厚の幅のみの面発光体となりスペースの節約を図ることができる。
【００１６】
又、前記極微の凹凸を形成した面が導光板の表裏面である場合には、導光板の表裏面の２面から発光するので、照明範囲が倍増できる利点がある。
【００１７】
更に又、前記透光シートが和紙である場合には、和紙の内部を通過する際に和紙の性状により柔らかい日本的な色調の光を得ることができる。
【００１８】
更に、前記ＬＥＤを設けた端面の反対側の導光板の端面に反射面を設けた場合には、この反射光も同じように極微の凹凸に当って拡散し透光シートを通過して外部へと出て行くために、より明るい照明パネルとなる。
【００１９】
更に又、前記ＬＥＤを設けた導光板の端面の反対側の端面にもＬＥＤを設けた場合には、前項の発明よりも一層明るい照明パネルとなる。
【００２０】
更に、導光板をアクリル樹脂とした時には、その樹脂の光の透過性の良い性質により、照明がより明るくなる利点がある。また、安価でしかも破損し難いという利点がある。
【００２１】
又、導光板を円筒形状とした場合には、和風調の照明器具、その他種々の照明器具が得られる。
【００２２】
又、前記透光シートの厚みをＬＥＤから離れるに従って次第に薄くすることによって、面全体を均一な光度で発光できる。
【００２３】
更に又、前記ＬＥＤが紫外線を発光し、前記透光シートに紫外線の照射により色調を帯びた光を放つ蛍光体を塗った場合には、透光板の表面に色彩を有する色々な模様、図案などを写し出すことが出来るので、種々のインテリア或いは標識照明としての利用が可能となる。
【発明を実施するための最良の形態】
【００２４】
この発明を実施する場合の最良の形態について以下、図に基づいて説明する。この発明の照明パネル１は、導光板２、この導光板２の端面２aに面するように設置した発光ダイオード（以下ＬＥＤという。）３及び前記導光板２の表面に貼られた透光シート４を主な構成とする。前記導光板２は、透明な材質であればガラス、合成樹脂などその種類は問われないが、とくにアクリル樹脂の場合には、光の透過性もよく、照明が明るくなり、しかも成形加工が容易で比較的安価で破損し難い利点がある。このような導光板２は、サンドブラスト等によってその表面に極微の凹凸が形成されており、この凹凸部分に導光板２の内部を通過する光が拡散して端面２aから入光されたＬＥＤ３の光が導光板２の表面方向へと放射される。
【００２５】
又、前記導光板２の表面には透光シート４が貼られているが、この透光シート４は、光を透過させるシート状のものであれば、合成樹脂薄膜状シート、洋紙、和紙などその種類を問われない。しかし、導光板２の表面にはこの透過シート４の模様が現われるために、デザイン的に優れたものが好ましい。とくに、透光シート４が和紙の場合には、その素材である植物の繊維模様とそれらの間の光の拡散によって面全体が柔らかなイメージとなるので、和風調のインテリア照明として好的に利用できる。
【００２６】
前記ＬＥＤ３の発光色は特に限定されるものではないが、面照明としてこの照明パネル１を利用する場合には、白色系のＬＥＤ３が明るいので好ましい。又、インテリア照明として利用する場合には、青、赤、橙等の単色又は複数色の色彩のある発光色であってもよい。透光シート４が和紙の場合において、この和紙に透明の蛍光塗料によって図柄や文字あるいは図形などを画いておくと、ＬＥＤ３から発せられる光が紫外線を服務場合にはそれら図柄や文字等が色彩と共に現われて、より一層インテリア照明としての効果を挙げることができる。
【００２７】
又、導光板２の端面２aに色の異なるＬＥＤ３を複数種類設置しておいて、それらを人手又は自動的にスイッチを切換えて発光させるようにすれば、それだけでも変化に富んだ照明パネル１として利用できる。
【００２８】
導光板２の表面に貼る前記透光シート４は、導光板２の表裏面の双方であっても、片方面であってもよいが、図１乃至図３に示す、この実施形態の照明パネル１においては、導光板２を円筒形状として、その内周面及び外周面の双方の面にサンドブラストによって極微の凹凸を形成したその上方から透光シート４としての和紙を貼って行燈風のものとしている。この場合において、前記透光シート４をＬＥＤ３から遠くなるに従ってその厚さを薄くすれば、導光板２の表面全体が均一な発光する面となるので好ましい。又、前記導光板２の下端は、図２、図３によく現われているように、基台５の表面に形成されている円環状の凹部６によって出入自在に支持されている。この凹部６内には、所定の間隔でＬＥＤ３が設置されており、導光板２の下方の端面２aに形成されている上向きの凹部７内に収納されるようになっている。そして、このＬＥＤ３は、前記基台５の底部に収納されている乾電池などの電源８とスイッチ９を介して電線１０で接続されているので、スイッチ９の操作によって点滅できるようにしている。
【００２９】
又、導光板２の上方の端面２aには、図４に示すように、鏡などからなる反射板１１が設けられている。この反射板１１は、上方に前記基台５のデザインと調和を保つようなデザインを有する円環状の蓋部材１２の裏面に設けられており、これによって下方の端面２aから入光したＬＥＤ３の光が反射して導光板２の表面から抜け出て照明できるようにしている。このため、導光板２の表面からは下方の端面２aから入光したＬＥＤ３の光の全てが表裏面から出光することとなり、照明パネル１の照度が強くなる。尚、この反射板１１に代えて、他のＬＥＤ３を蓋部材１２の裏面に設けてもよく、この場合にはなお一層照明パネル１の照度が強くなる利点がある。又、この実施形態のように、導光板２が円筒状のものである場合においては、真中の底部に飾りや別途の反射板を置くようにすると、デザイン的にもよくなる利点がある。更に、導光板２が円筒状の場合には、周囲に巻く透光シート４の継目をなくするようにすれば、より美観が良くなる。
【００３０】
この発明の他の実施形態を示す図５は、インテリア照明の例として挙げたものであって、曲った波形の導光板２の両面が発光するようにして、台座１３上に垂直に固定したものである。内部は図示していないが、図２、図３の実施形態と同様に、ＬＥＤ３が導光板２の下方の端面２aに設けられ、又、上方の端面２aには反射板又は、ＬＥＤ３が設けられている。
【００３１】
以上の実施形態においては、ＬＥＤ３を導光板２の上下の端面２aに設置する例について説明したが、導光板２の内部に埋め込んだり、あるいは図６に示すように２つの導光板２の継ぎ目１４の部分に入れるようにしてもよい。これらのいずれの場合であっても、ＬＥＤ３から発せられる光は導光板２の内部を通ってその表面方向へ拡散されて照明パネル１として利用できる。このように、ＬＥＤ３は導光板２の上下方向のみならず、左右方向や斜め方向であっても良い。更に又、ＬＥＤ３は、図２に示すような導光板２に形成した凹部７に嵌め込む凸型の形状のものに代えて、チップ型に形成したものを導光板２の端面に設置するようにしても良く、その取付手段や形状については特に限定されるものではない。
【産業上の利用可能性】
【００３２】
この発明の照明パネルは、幅の薄い導光板の両面で照明できるので、スペースが少ない場所での照明やインテリア照明として有効に利用できる。
【図面の簡単な説明】
【００３３】
【図１】この発明の照明パネルの実施形態の全体斜視図。
【図２】図１のＡ−Ａ線一部省略断面説明図。
【図３】図１のＢ−Ｂ一部省略線断面説明図図。
【図４】光の通過説明図。
【図５】この発明の他の実施形態の全体斜視図。
【図６】この発明の更に他の実施形態の説明図。
【符号の説明】
【００３４】
１  照明パネル
２  導光板
２ａ  端面
３  発光ダイオード（ＬＥＤ）
４  透光シート
１１  反射板
【図１】
2008021506.tif 000003
【図２】
2008021506.tif 000004
【図３】
2008021506.tif 000005
【図４】
2008021506.tif 000006
【図５】
2008021506.tif 000007
【図６】
2008021506.tif 000008